(57)【要約】【課題】名刺に文字列が含まれていない場合でも、汎用的な名刺ホルダを使用して名刺の表面の画像と裏面の画像との対応付けが可能な画像処理装置、画像処理システム、画像処理方法およびプログラムを提供すること。【解決手段】本発明の画像処理装置は、複数の名刺が収納されている名刺ホルダの第１面および第２面の読取画像を生成し、名刺ホルダの第１面の読取画像および第２面の読取画像から第１面の名刺画像および第２面の名刺画像および回転軸特定情報を抽出する。そして、本発明の画像処理装置は、回転軸特定情報を用いて名刺ホルダを裏返す際の回転軸を特定し、第１面の名刺画像と第２面の名刺画像とを対応付ける。【選択図】図１
2015095204.tif 000002
【特許請求の範囲】
【請求項１】
名刺ホルダをスキャンして画像を生成する画像処理装置であって、
複数の名刺が収納されている名刺ホルダの第１面および第２面の読取画像を生成する画像読取手段と、
名刺ホルダの第１面の読取画像および第２面の読取画像から第１面の名刺画像および第２面の名刺画像を抽出する名刺画像抽出手段と、
名刺ホルダの第１面の読取画像および第２面の読取画像から回転軸特定情報を抽出する特定情報抽出手段と、
前記回転軸特定情報を用いて名刺ホルダを裏返す際の回転軸を特定し、第１面の名刺画像と第２面の名刺画像とを対応付ける対応付け手段と
を備える、画像処理装置。
【請求項２】
前記回転軸特定情報は、名刺ホルダに形成された閉じ穴若しくは名刺ホルダに表された文字列、名刺の配置位置、名刺ホルダの背景材に表された図形、または名刺ホルダに収納されている識別札に付された模様若しくはコードであることを特徴とする、請求項１に記載の画像処理装置。
【請求項３】
前記名刺ホルダは、汎用の名刺ホルダであることを特徴とする、請求項１または２に記載の画像処理装置。
【請求項４】
名刺ホルダをスキャンして画像を生成する画像処理装置と、画像処理装置が生成した画像を処理する情報処理装置とを含む画像処理システムであって、
前記画像処理装置は、
複数の名刺が収納されている名刺ホルダの第１面および第２面の読取画像を生成する画像読取手段を備え、
前記情報処理装置は、
名刺ホルダの第１面の読取画像および第２面の読取画像から第１面の名刺画像および第２面の名刺画像を抽出する名刺画像抽出手段と、
名刺ホルダの第１面の読取画像および第２面の読取画像から回転軸特定情報を抽出する特定情報抽出手段と、
前記回転軸特定情報を用いて名刺ホルダを裏返す際の回転軸を特定し、第１面の名刺画像と第２面の名刺画像とを対応付ける対応付け手段と
を備える、画像処理システム。
【請求項５】
前記回転軸特定情報は、名刺ホルダに形成された閉じ穴若しくは名刺ホルダに表された文字列、名刺の配置位置、名刺ホルダの背景材に表された図形、または名刺ホルダに収納されている識別札に付された模様若しくはコードであることを特徴とする、請求項４に記載の画像処理システム。
【請求項６】
前記名刺ホルダは、汎用の名刺ホルダであることを特徴とする、請求項４または５に記載の画像処理システム。
【請求項７】
画像を処理する装置が実行する画像処理方法であって、前記画像処理方法は、前記装置が、
複数の名刺が収納されている名刺ホルダの第１面の読取画像および第２面の読取画像から第１面の名刺画像および第２面の名刺画像を抽出するステップと、
名刺ホルダの第１面の読取画像および第２面の読取画像から回転軸特定情報を抽出するステップと、
前記回転軸特定情報を用いて名刺ホルダを裏返す際の回転軸を特定し、第１面の名刺画像と第２面の名刺画像とを対応付けるステップと
を含む、画像処理方法。
【請求項８】
前記回転軸特定情報は、名刺ホルダに形成された閉じ穴若しくは名刺ホルダに表された文字列、名刺の配置位置、名刺ホルダの背景材に表された図形、または名刺ホルダに収納されている識別札に付された模様若しくはコードであることを特徴とする、請求項７に記載の画像処理方法。
【請求項９】
前記名刺ホルダは、汎用の名刺ホルダであることを特徴とする、請求項７または８に記載の画像処理方法。
【請求項１０】
画像を処理する装置に対して、請求項７〜９のいずれか１項に記載の画像処理方法を実行させるためのコンピュータ実行可能なプログラム。
【発明の詳細な説明】
【技術分野】
【０００１】
本発明は、名刺情報を管理する技術に関し、より詳細には、名刺の表面の画像と裏面の画像とを対応付ける画像処理装置、画像処理システム、画像処理方法およびプログラムに関する。
【背景技術】
【０００２】
従来、ビジネスで利用される名刺に記載された情報をデジタル化して管理する様々な技術が提案されている。
【０００３】
このような名刺情報の管理技術の一例として、特許文献１は、複数の名刺が収納された名刺ホルダの表面および裏面をスキャンし、スキャンデータである表面データと裏面データの天地方向を判断して、表面データと裏面データを対応付ける名刺管理方法を開示する。
【発明の概要】
【発明が解決しようとする課題】
【０００４】
しかしながら、特許文献１が開示する名刺管理方法では、名刺の文字情報を利用して、名刺の表面データと裏面データの天地方向を判断するため、名刺に文字情報が含まれていない場合、例えば、名刺に図柄のみが印刷されている場合には、名刺の表面データと裏面データの天地方向を判断することができず、名刺の表面データと裏面データを対応付けできないという問題があった。
【０００５】
また、特許文献１は、名刺ホルダに付された指標を用いて名刺の表面データと裏面データの天地方向を判断する方法を開示するが、この方法では、指標が付された専用の名刺ホルダを使用しなければならず、市販されている汎用的な名刺ホルダをそのまま利用できないという問題があった。
【０００６】
本発明は、上述した従来技術の問題点に鑑みてなされたものであり、名刺に文字列が含まれていない場合でも、汎用的な名刺ホルダを使用して名刺の表面の画像と裏面の画像との対応付けが可能な画像処理装置、画像処理システム、画像処理方法およびプログラムを提供することを目的とする。
【課題を解決するための手段】
【０００７】
本発明の画像処理装置は、複数の名刺が収納されている名刺ホルダの第１面および第２面の読取画像を生成し、名刺ホルダの第１面の読取画像および第２面の読取画像から第１面の名刺画像および第２面の名刺画像および回転軸特定情報を抽出する。そして、本発明の画像処理装置は、回転軸特定情報を用いて名刺ホルダを裏返す際の回転軸を特定し、第１面の名刺画像と第２面の名刺画像とを対応付ける。
【発明の効果】
【０００８】
本発明は、名刺に文字列が含まれていない場合でも、汎用的な名刺ホルダを使用して名刺の表面の画像と裏面の画像とを対応付けることができる。
【図面の簡単な説明】
【０００９】
【図１】本発明の画像処理装置の機能構成を示す図。
【図２】本発明の画像処理装置が実行する処理を示すフローチャート。
【図３】複数の名刺が収納されている名刺ホルダの一実施形態を示す図。
【図４】回転軸特定情報の一実施形態を示す図。
【図５】回転軸特定情報の別の実施形態を示す図。
【図６】回転軸特定情報の他の実施形態を示す図。
【図７】回転軸特定情報の他の実施形態を示す図。
【図８】回転軸特定情報の他の実施形態を示す図。
【図９】名刺ホルダの一実施形態を示す図。
【図１０】本発明の画像処理システムに含まれる情報処理装置の機能構成を示す図。
【発明を実施するための形態】
【００１０】
以下、本発明について実施形態をもって説明するが、本発明は、後述する実施形態に限定されるものではない。図１は、本発明の画像処理装置の機能構成を示す図である。画像処理装置１００は、名刺が収納されている名刺ホルダの両面を読み取り、各面の名刺画像を対応付け可能なＭＦＰ（Multi Function Peripheral）等の画像処理装置である。
【００１１】
画像処理装置１００は、プロセッサと、ＲＯＭと、ＲＡＭと、ＨＤＤと、スキャナ装置とを含んで構成される。プロセッサは、ＷＩＮＤＯＷＳ（登録商標）シリーズ、Ｍａｃ（登録商標）ＯＳ、ＵＮＩＸ（登録商標）、ＬＩＮＵＸ（登録商標）などのオペレーティングシステムの管理下で、ＲＯＭから本発明のプログラムを読み出し、ＲＡＭに展開して実行することにより、後述する各機能部を画像処理装置１００上に実現する。本発明のプログラムは、アセンブラ、Ｃ、Ｃ＋＋、Ｊａｖａ（登録商標）、Ｊａｖａ  Ｓｃｒｉｐｔ（登録商標）、ＰＥＲＬ、ＲＵＢＹ、ＰＹＴＨＯＮなどの種々のプログラム言語で記述することができる。以下、図１を参照して、画像処理装置１００の機能構成について説明する。
【００１２】
画像処理装置１００は、制御部１０１と、画像読取部１０２と、名刺画像抽出部１０３と、特定情報抽出部１０４と、対応付け処理部１０５と、記憶部１０６とを含んで構成される。
【００１３】
制御部１０１は、画像処理装置１００が実行する画像読取処理の全体制御を行う手段である。制御部１０１は、後述する機能部を制御して画像読取処理を実行する。
【００１４】
画像読取部１０２は、画像処理装置１００が備えるスキャナ装置を制御して画像を読み取る手段である。画像読取部１０２は、画像処理装置１００の原稿台にセットされた名刺ホルダをスキャン装置にスキャンさせて名刺ホルダの読取画像を生成する。
【００１５】
名刺画像抽出部１０３は、画像読取部１０２が生成した読取画像から名刺画像を抽出する手段である。名刺画像抽出部１０３は、エッジ検出処理またはラベリング処理を実行し、名刺ホルダの第１面の読取画像および第２面の読取画像から名刺画像を抽出する。
【００１６】
特定情報抽出部１０４は、画像読取部１０２が生成した読取画像から回転軸特定情報を抽出する手段である。回転軸特定情報は、名刺ホルダをスキャンする場合に、ユーザが名刺ホルダを裏返した際の回転軸を特定する情報である。
【００１７】
対応付け処理部１０５は、名刺ホルダの第１面の名刺画像と第２面の名刺画像とを対応付ける手段である。対応付け処理部１０５は、回転軸特定情報を用いて、名刺ホルダの第１面の名刺画像と第２面の名刺画像とを対応付ける対応付け情報を生成する。対応付け情報は、表面の名刺画像の識別情報と、これに関連付けられた裏面の名刺画像の識別情報とで構成される。
【００１８】
記憶部１０６は、画像処理装置１００が備えるＲＡＭやＨＤＤ等のメモリを制御する手段である。記憶部１０６は、他の機能部の指示により、種々のデータをメモリに保存する。
【００１９】
図２は、本発明の画像処理装置が実行する処理を示すフローチャートである。以下、図２を参照して、画像処理装置１００が実行する処理について説明する。
【００２０】
図２の処理は、ユーザが名刺ホルダを画像処理装置１００の原稿台にセットし、画像処理装置１００に読み取りを指示することにより、ステップＳ２００から開始する。ステップＳ２０１では、制御部１０１が画像読取部１０２を呼び出し、画像読取部１０２が、スキャン装置に名刺ホルダの第１面を読み取らせて第１面の読取画像を生成する。次いで、ユーザが名刺ホルダを裏返して原稿台にセットし、画像処理装置１００に読み取りを指示すると、ステップＳ２０２で制御部１０１が画像読取部１０２を呼び出し、画像読取部１０２が、スキャン装置に名刺ホルダの第２面を読み取らせて第２面の読取画像を生成する。
【００２１】
ステップＳ２０３では、制御部１０１は名刺画像抽出部１０３を呼び出し、名刺画像抽出部１０３が、名刺ホルダの第１面および第２面の読取画像から、それぞれ名刺画像を抽出する。ステップＳ２０４では、特定情報抽出部１０４は、名刺ホルダの第１面および第２面の読取画像から、それぞれ回転軸特定情報を抽出する。
【００２２】
ステップＳ２０５では、制御部１０１は対応付け処理部１０５を呼び出し、対応付け処理部１０５が、回転軸特定情報を使用して、名刺ホルダを裏返した際の回転軸の種類を判断する。本実施形態では、名刺ホルダの長手方向の軸または垂直軸を第１の回転軸とし、名刺ホルダの短手方向の軸または水平軸である第２の回転軸とする。
【００２３】
回転軸が第１の回転軸である場合は（ｙｅｓ）、ステップＳ２０６に処理が分岐する。一方、回転軸が第２の回転軸である場合は（ｎｏ）、ステップＳ２０７に処理が分岐する。ステップＳ２０６では、対応付け処理部１０５は、回転軸が第１の回転軸である場合の対応付けポリシーに従って対応付け情報を生成し、ステップＳ２０８で処理が終了する。一方、ステップＳ２０７では、対応付け処理部１０５は、回転軸が第２の回転軸である場合の対応付けポリシーに従って対応付け情報を生成し、ステップＳ２０８で処理が終了する。
【００２４】
図３は、複数の名刺が収納されている名刺ホルダの一実施形態を示す図である。以下、図３を参照して、本発明の画像処理装置１００が実行する処理について説明する。
【００２５】
名刺ホルダの第１面である表面には、名刺の表面が見えるように、複数の名刺が名刺保持部に収納されている。ユーザは、名刺ホルダの表面がスキャンされるように、画像処理装置１００の原稿台に名刺ホルダをセットし、名刺ホルダの表面の読取画像を生成させる。次に、ユーザは、名刺ホルダを第１の回転軸または第２の回転軸を中心に裏返し、第２面である裏面を画像処理装置１００の原稿台にセットし、名刺ホルダの裏面の読取画像を生成させる。
【００２６】
名刺ホルダの裏面の読取画像は、図３に示すように、名刺ホルダの裏返し方によって異なる。具体的には、第１の回転軸を中心に名刺ホルダを裏返すと、裏面３００の状態となる。一方、第２の回転軸を中心に名刺ホルダを裏返すと、裏面３０１の状態となる。
【００２７】
画像処理装置１００は、図４〜図８を参照して詳述する回転軸特定情報を使用して、名刺ホルダを裏返した際の回転軸を判断し、回転軸の種類に応じた対応付けポリシーに従って、図３の破線矢印が示すように、表面の名刺画像と裏面の名刺画像とを対応付ける。
【００２８】
名刺ホルダを裏返した際の回転軸が第１の回転軸である場合、画像処理装置１００は、例えば、表面の左側の最上段に位置する名刺画像（「氏名１」および「住所１」が記載された名刺画像）と、裏面の右側の最上段に位置する名刺画像（「Ｎａｍｅ１」および「Ａｄｄｒｅｓｓ１」が記載された名刺画像）とを対応付ける。
【００２９】
一方、名刺ホルダを裏返した際の回転軸が第２の回転軸である場合、画像処理装置１００は、例えば、表面の左側の最上段に位置する名刺画像（「氏名１」および「住所１」が記載された名刺画像）と、裏面の左側の最下段に位置する名刺画像（「Ｎａｍｅ１」および「Ａｄｄｒｅｓｓ１」が記載された名刺画像）とを対応付ける。
【００３０】
図４は、回転軸特定情報の一実施形態を示す図である。図４に示す実施形態では、名刺ホルダをファイルに収容するための閉じ穴や任意の文字列を回転軸特定情報として採用する。
【００３１】
特定情報抽出部１０４は、表面および裏面の読取画像から回転軸特定情報である閉じ穴４００や文字列４１０を抽出する。特定情報抽出部１０４は、閉じ穴４００と同形状のパターンを用いたパターンマッチングにより、閉じ穴４００を抽出することができる。また、特定情報抽出部１０４は、読取画像内の名刺画像以外の領域に記載されている文字列、すなわち、名刺に記載されている文字列以外の文字列を抽出することにより、文字列４１０を抽出することができる。
【００３２】
閉じ穴４００を回転軸特定情報として使用する実施形態では、対応付け処理部１０５は、表面の読取画像から抽出された閉じ穴４００の位置と、裏面の読取画像から抽出された閉じ穴４００の位置とを比較し、これらの位置が同じ側（図４に示す実施形態では左側）に存在する場合には、名刺ホルダを裏返した際の回転軸が第２の回転軸であると判断する。一方、これらの位置が異なる側に存在する場合には、名刺ホルダを裏返した際の回転軸が第１の回転軸であると判断する。
【００３３】
文字列４１０を回転軸特定情報として使用する実施形態では、対応付け処理部１０５は、表面の読取画像から抽出された文字列４１０の位置と、裏面の読取画像から抽出された文字列４１０の位置とを比較し、これらの位置が同じ側（図４に示す実施形態では上側）に存在する場合には、名刺ホルダを裏返した際の回転軸が第１の回転軸であると判断する。一方、これらの位置が異なる側に存在する場合には、回転軸が第２の回転軸であると判断する。
【００３４】
図４に示す実施形態では、汎用的な名刺ホルダが有する閉じ穴や、名刺に記載された文字列以外の文字列を使用して回転軸を特定し、名刺の表面の画像と裏面の画像とを対応付ける。このため、名刺に文字列が記載されていない場合、例えば、名刺に図柄のみが印刷されている場合でも、名刺の表面の画像と裏面の画像との対応付けが可能となると共に、汎用的な名刺ホルダを加工することなく、そのまま利用することができる。
【００３５】
図５は、回転軸特定情報の別の実施形態を示す図である。図５に示す実施形態では、名刺の配置位置を回転軸特定情報として採用する。
【００３６】
特定情報抽出部１０４は、表面および裏面の読取画像から名刺画像の領域を特定する。そして、特定情報抽出部１０４は、表面の名刺画像の領域で構成される名刺の配置位置と、裏面の名刺画像の領域で構成される配置位置とが、第１の回転軸または第２の回転軸に対して対称となるか判断する。
【００３７】
表面および裏面の名刺の配置位置が第１の回転軸に対して対称である場合は、特定情報抽出部１０４は、名刺ホルダを裏返した際の回転軸が第１の回転軸であると判断する。一方、表面および裏面の名刺の配置位置が第２の回転軸に対して対称である場合は、特定情報抽出部１０４は、回転軸が第２の回転軸であると判断する。
【００３８】
図５に示す実施形態では、名刺の配置位置を使用して回転軸を特定し、名刺の表面の画像と裏面の画像とを対応付ける。このため、名刺に文字列が記載されていない場合でも、名刺の表面の画像と裏面の画像との対応付けが可能となると共に、汎用的な名刺ホルダを加工することなく、そのまま利用することができる。
【００３９】
図６は、回転軸特定情報の他の実施形態を示す図である。図６に示す実施形態では、背景材上の任意の図形を回転軸特定情報として採用する。
【００４０】
本実施形態では、名刺ホルダに背景材を添えた状態で画像処理装置１００に名刺ホルダの表面および裏面の読取画像を生成させる。特定情報抽出部１０４は、表面および裏面の読取画像から回転軸特定情報である図形６００を抽出する。特定情報抽出部１０４は、図形６００と同形状のパターンを用いたパターンマッチングにより、図形６００を抽出することができる。
【００４１】
対応付け処理部１０５は、表面の読取画像から抽出された図形６００の位置と、裏面の読取画像から抽出された図形６００の位置とを比較し、これらの位置が同じである場合には、名刺ホルダを裏返した際の回転軸が第１の回転軸であると判断する。一方、図形６００の位置が異なる場合には、回転軸が第２の回転軸であると判断する。
【００４２】
図６に示す実施形態では、背景材に表された任意の図形を使用して回転軸を特定し、名刺の表面の画像と裏面の画像とを対応付ける。このため、名刺に文字列が記載されていない場合でも、名刺の表面の画像と裏面の画像との対応付けが可能となると共に、汎用的な名刺ホルダを加工することなく、そのまま利用することができる。
【００４３】
図７は、回転軸特定情報の他の実施形態を示す図である。図７に示す実施形態では、名刺と同形状の識別札を回転軸特定情報として採用する。
【００４４】
本実施形態では、名刺が収納されていない名刺保持部に識別札を収納する。識別札の第１面７００および第２面７０１には、異なる模様が付されている。特定情報抽出部１０４は、表面および裏面の読取画像から識別札の第１面７００および第２面７０１を特定する。特定情報抽出部１０４は、識別札の第１面７００および第２面７０１と同じ模様のパターンを用いたパターンマッチングにより、識別札の第１面７００および第２面７０１を抽出することができる。そして、特定情報抽出部１０４は、識別札の第１面７００の位置と識別札の第２面７０１の位置とが、第１の回転軸または第２の回転軸に対して対称となるか判断する。
【００４５】
識別札の第１面７００および第２面７０１の位置が第１の回転軸に対して対称である場合は、特定情報抽出部１０４は、名刺ホルダを裏返した際の回転軸が第１の回転軸であると判断する。一方、識別札の第１面７００および第２面７０１の位置が第２の回転軸に対して対称である場合は、特定情報抽出部１０４は、回転軸が第２の回転軸であると判断する。
【００４６】
本実施形態では、識別札の第１面７００および第２面７０１の模様が異なるため、第１面７００および第２面７０１を識別することができる。対応付け処理部１０５は、表面の名刺画像と裏面の名刺画像とを対応付ける際に、表面の名刺画像の識別情報および裏面の名刺画像の識別情報に対し、識別札の第１面７００の識別情報または識別札の第２面７０１の識別情報を関連付けることができる。
【００４７】
図７に示す実施形態では、名刺ホルダに収納可能な識別札を使用して回転軸を特定し、名刺の表面の画像と裏面の画像とを対応付ける。このため、名刺に文字列が記載されていない場合でも、名刺の表面の画像と裏面の画像との対応付けが可能となると共に、汎用的な名刺ホルダを加工することなく、そのまま利用することができる。
【００４８】
図８は、回転軸特定情報の他の実施形態を示す図である。図８に示す実施形態では、名刺と同形状の識別札を回転軸特定情報として採用する。
【００４９】
本実施形態では、図７に示す実施形態と同様に、名刺が収納されていない名刺保持部に識別札を収納する。識別札の第１面８００および第２面８０１には、異なるコードが付されている。本実施形態では、識別札に付するコードとしてバーコードを使用するが、他の実施形態では、その他の１次元コードや２次元コードを使用してもよい。
【００５０】
特定情報抽出部１０４は、表面および裏面の読取画像から識別札の第１面８００および第２面８０１を特定する。特定情報抽出部１０４は、識別札の第１面８００および第２面８０１と同じバーコードを含むパターンを用いたパターンマッチングにより、識別札の第１面８００および第２面８０１を抽出することができる。そして、特定情報抽出部１０４は、識別札の第１面８００の位置と、識別札の第２面８０１の位置とが、第１の回転軸または第２の回転軸に対して対称となるか判断する。
【００５１】
識別札の第１面８００および第２面８０１の位置が第１の回転軸に対して対称である場合は、特定情報抽出部１０４は、名刺ホルダを裏返した際の回転軸が第１の回転軸であると判断する。一方、識別札の第１面８００および第２面８０１の位置が第２の回転軸に対して対称である場合は、特定情報抽出部１０４は、回転軸が第２の回転軸であると判断する。
【００５２】
本実施形態では、識別札の第１面８００および第２面８０１のバーコードが異なるため、第１面８００および第２面８０１を識別することができる。対応付け処理部１０５は、表面の名刺画像と裏面の名刺画像とを対応付ける際に、表面の名刺画像の識別情報および裏面の名刺画像の識別情報に識別札の第１面８００の識別情報または第２面８０１の識別情報を関連付けることができる。
【００５３】
図８に示す実施形態では、名刺ホルダに収納可能な識別札を使用して回転軸を特定し、名刺の表面の画像と裏面の画像とを対応付ける。このため、名刺に文字列が記載されていない場合でも、名刺の表面の画像と裏面の画像との対応付けが可能となると共に、汎用的な名刺ホルダを加工することなく、そのまま利用することができる。
【００５４】
図９は、名刺ホルダの一実施形態を示す図である。図９に示す名刺ホルダ９００には、背景材９１０がヒンジで連結されており、この構造により、ユーザは名刺ホルダ９００を容易に裏返すことができる。名刺ホルダ９００の色を透明とし、背景材９１０の色を、名刺ホルダ９００に収納される名刺とは異なる輝度値の色とすることが好適である。これにより、名刺ホルダの読取画像から名刺領域を抽出するのが容易となる。
【００５５】
図１０は、本発明の画像処理システムに含まれる情報処理装置の機能構成を示す図である。本発明の画像処理システムは、名刺ホルダの両面の読取画像を提供する画像処理装置と、情報処理装置１０００とで構成される。情報処理装置１０００は、画像処理装置が提供する名刺ホルダの両面の読取画像から各面の名刺画像を対応付け可能なＰＣ等の情報処理装置である。
【００５６】
情報処理装置１０００は、プロセッサと、ＲＯＭと、ＲＡＭと、ＨＤＤとを含んで構成される。プロセッサは、ＷＩＮＤＯＷＳ（登録商標）シリーズ、Ｍａｃ（登録商標）ＯＳ、ＵＮＩＸ（登録商標）、ＬＩＮＵＸ（登録商標）などのオペレーティングシステムの管理下で、ＲＯＭから本発明のプログラムを読み出し、ＲＡＭに展開して実行することにより、上述した各機能部を情報処理装置１０００上に実現する。本発明のプログラムは、アセンブラ、Ｃ、Ｃ＋＋、Ｊａｖａ（登録商標）、Ｊａｖａ  Ｓｃｒｉｐｔ（登録商標）、ＰＥＲＬ、ＲＵＢＹ、ＰＹＴＨＯＮなどの種々のプログラム言語で記述することができる。
【００５７】
情報処理装置１０００は、制御部１０１と、名刺画像抽出部１０３と、特定情報抽出部１０４と、対応付け処理部１０５と、記憶部１０６とを含んで構成される。これらの機能部は、図２を参照して説明した機能を有する。
【００５８】
これまで本実施形態につき説明してきたが、本発明は、上述した実施形態に限定されるものではなく、上述した実施形態の構成要素を変更若しくは削除し、または上述した実施形態の構成要素に他の構成要素を追加するなど、当業者が想到することができる範囲内で変更することができる。いずれの態様においても本発明の作用効果を奏する限り、本発明の範囲に含まれるものである。
【符号の説明】
【００５９】
１００…画像処理装置、１０１…制御部、１０２…画像読取部、１０３…名刺画像抽出部、１０４…特定情報抽出部、１０５…対応付け処理部、１０６…記憶部
【先行技術文献】
【特許文献】
【００６０】
【特許文献１】特許第４７９５０３８号
【図１】
2015095204.tif 000003
【図２】
2015095204.tif 000004
【図３】
2015095204.tif 000005
【図４】
2015095204.tif 000006
【図５】
2015095204.tif 000007
【図６】
2015095204.tif 000008
【図７】
2015095204.tif 000009
【図８】
2015095204.tif 000010
【図９】
2015095204.tif 000011
【図１０】
2015095204.tif 000012